(57)【要約】【課題】特殊部品や特殊加工を必要とすることなく、費用をかけずに遮断容量を高くすることができる回路遮断器を提供する。【解決手段】非電圧極の接点位置と電圧極の接点位置を高さ位置が異なるようにする。また、非電圧極の固定接触子６は固定接点５から遮断器ケース１１の底部付近まで延びる立ち下げ部６ａを形成し、負荷側端子９に接続される導電板８の高さ位置を低くし、導電板８と可動接触子６を接続する可撓電線７の立ち上げが大きくなるようにする。【選択図】図１
2005235540.tif 000002
【特許請求の範囲】
【請求項１】
一端が電源側端子に接続されて他端に固定接点を有する固定接触子と、該固定接触子の固定接点と接離する可動接点を一端に有し他端に設けられた支軸を上側にして回動する可動接触子と、該可動接触子に接続される可撓電線と、該可撓電線と接続される導電板と、該導電板に接続される負荷側端子とで非電圧極の電路を構成し、該電路を遮断器ケースに組み込んで成る単相２線式の回路遮断器において、非電圧極の接点位置を電圧極の接点位置と高さ位置が異なるようにするとともに、非電圧極の前記固定接触子は前記固定接点から前記遮断器ケースの底部付近まで延びる立ち下げ部を形成し、前記導電板の高さ位置を低くして可撓電線の立ち上げを大きくしたことを特徴とする回路遮断器。
【発明の詳細な説明】
【技術分野】
【０００１】
本発明は、単相２線式の回路遮断器に関する。
【背景技術】
【０００２】
図５及び図６に示すように単相２線式の回路遮断器２１は、一端が電源側端子２２に接続されて他端に固定接点２３を有する固定接触子２４と、固定接触子２４の固定接点２３と接離する可動接点２５を一端に有し他端に設けられた支軸２６ａを上側にして回動する可動接触子２６と、可動接触子２６に接続される可撓電線２７と、可撓電線２７に接続される過電流引き外し装置３０と、過電流引き外し装置３０に接続される導電板２８と、導電板２８に接続される負荷側端子２９とで電圧極の電路を構成し、非電圧極の電路は電圧極の構成部品から過電流引き外し装置３０を除いた部品によって構成している。
【０００３】
そして、電路に短絡電流が流れると、過電流引き外し装置３０が駆動して電路を遮断するようになっている。このとき、電圧極では電源側端子２２→固定接触子２４→固定接点２３→可動接点２５→可動接触子２６→可撓電線２７→過電流引き外し装置３０→導電板２８→負荷側端子２９の順に電流が流れ、非電圧極では反対方向に電流が流れる。
【０００４】
図７及び図８は電圧極と非電圧極とで左から順に可撓電線２７、可動接触子２６、アーク、固定接触子２４に流れる電流の向きと磁束の発生状態を示している。この図からも分かるように電圧極は固定接触子２４と可動接触子２６が反発して素早く遮断されるが、非電圧極は固定接触子２４と可動接触子２６が吸引して素早く遮断されない。また、電圧極のアークは電磁力が下方向に働くため、導電板２８の下側に配設された消弧室３２にアークを導きやすいが、非電圧極のアークは反対に電磁力が上方向に働くため、遮断性能の低下の原因になっている。そこで固定接触子と消弧装置との間に磁気遮蔽板を配設したり、可動接触子の両端に可動接点を設けて２点切り方式にして遮断性能を向上させていた（例えば、特許文献１参照。）。
【特許文献１】特開２００３−１２３６１２号公報（第１図）
【発明の開示】
【発明が解決しようとする課題】
【０００５】
このように、従来の回路遮断器は磁気遮蔽板等の特殊部品を必要としたり、可動接触子に特殊加工を施す必要があり、費用がかかるという問題があった。
【課題を解決するための手段】
【０００６】
本発明は、一端が電源側端子に接続されて他端に固定接点を有する固定接触子と、固定接触子の固定接点と接離する可動接点を一端に有し他端に設けられた支軸を上側にして回動する可動接触子と、可動接触子に接続される可撓電線と、可撓電線と接続される導電板と、導電板に接続される負荷側端子とで非電圧極の電路を構成し、電路を遮断器ケースに組み込んで成る単相２線式の回路遮断器において、非電圧極の接点位置を電圧極の接点位置と高さ位置が異なるようにするとともに、非電圧極の固定接触子は固定接点から遮断器ケースの底部付近まで延びる立ち下げ部を形成し、導電板の高さ位置を低くして可撓電線の立ち上げを大きくしたことを特徴とする。
【発明の効果】
【０００７】
本発明の回路遮断器は、特殊部品や特殊加工を必要とすることなく、費用をかけずに遮断性能を高くすることができるという効果がある。
【発明を実施するための最良の形態】
【０００８】
非電圧極の接点位置と電圧極の接点位置を高さ位置が異なるようにする。また、非電圧極の固定接触子は固定接点から遮断器ケースの底部付近まで延びる立ち下げ部を形成し、負荷側端子に接続される導電板の高さ位置を低くし、導電板と可動接触子を接続する可撓電線の立ち上げが大きくなるようにする。
【実施例１】
【０００９】
本発明に係る回路遮断器の実施例を図１〜図４の添付図面に基づいて説明する。
【００１０】
単相２線式の回路遮断器１の非電圧極の電路は、一端が電源側端子２に接続されて他端に固定接点３を有する固定接触子４と、固定接触子４の固定接点３と接離する可動接点５を一端に有し他端に設けられた支軸６ａを上側にして振り子状に回動する可動接触子６と、可動接触子６に接続される可撓電線７と、可撓電線７と接続される導電板８と、導電板８に接続される負荷側端子９とで構成されている。電圧極の電路は可撓電線７と導電板８との間に過電流引き外し装置１０が接続され、その他は非電圧極と同じ構成である。
【００１１】
非電圧極は、電源側端子２と負荷側端子９が合成樹脂により形成された遮断器ケース１１の両端に配置され、導電板８は負荷側端子９から下方向に折曲されて、それから水平に折曲されて水平部８ａが遮断器ケース１１内の低い位置に配置され、水平部８ａの端部は上方に折曲されて立ち上げられ、この先端に可撓電線７の一端が接続されている。可撓電線７の他端は可動接触子６の他端に接続され、可撓電線７の立ち上げが大きく取られている。固定接触子４は固定接点３から遮断器ケース１１の底部付近まで延びる立ち下げ部４ａが形成され、遮断器ケース１１の底部付近でＵ字状に折り返され、そこから立ち上げ形成されて電源側端子２に接続されている。非電圧極の接点位置は電圧極の接点位置と高さ位置が異なるようにされている。尚、導電板８の下側には消弧室１２が配設されている。
【００１２】
回路遮断器１は短絡電流によって過電流引き外し装置１０が駆動して電路を遮断するが、このとき、非電圧極には負荷側端子９→導電板８→可撓電線７→可動接触子６→可動接点５→固定接点３→固定接触子４→電源側端子２という順で電流が流れている。
【００１３】
図３及び図４は非電圧極と電圧極とで左から順に可撓電線７、可動接触子６、アーク、固定接触子４に流れる電流の向きと磁束の発生状態を示している。ここで、非電圧極の可撓電線７に流れる上向きの電流は導電板８の先端の立ち上げ部分も足されて長くなっており、可動接触子６に流れる下向きの電流よりも優位となるのでこれらの周囲には固定接触子４と反発する磁束が発生し、素早く遮断されるようになっている。また、電圧極は従来と同じ構造であるため、同様に固定接触子４と可動接触子６が反発して素早く遮断される。また、電圧極と非電圧極の接点の高さ位置が異なることによって非電圧極のアークに働く上方向の電磁力が電圧極に働く下方向の電磁力によって弱められ、消弧装置１２へアークが導かれやすいので遮断性能が向上する。
【図面の簡単な説明】
【００１４】
【図１】本発明に係る回路遮断器の非電圧極の電路を示す縦断面図である。
【図２】本発明に係る回路遮断器の電圧極の電路を示す縦断面図である。
【図３】本発明に係る回路遮断器の非電圧極の可撓電線と可動接触子とアークと固定接触子に流れる電流と磁束の発生状態を示す説明図である。
【図４】本発明に係る回路遮断器の電圧極の可撓電線と可動接触子とアークと固定接触子に流れる電流と磁束の発生状態を示す説明図である。
【図５】従来の回路遮断器の電圧極の電路を示す縦断面図である。
【図６】従来の回路遮断器の非電圧極の電路を示す縦断面図である。
【図７】従来の回路遮断器の電圧極の可撓電線と可動接触子とアークと固定接触子に流れる電流と磁束の発生状態を示す説明図である。
【図８】従来の回路遮断器の非電圧極の可撓電線と可動接触子とアークと固定接触子に流れる電流と磁束の発生状態を示す説明図である。
【符号の説明】
【００１５】
１    回路遮断器
２    電源側端子
３    固定接点
４    固定接触子
５    可動接点
６    可動接触子
７    可撓電線
８    導電板
９    負荷側端子
【図１】
2005235540.tif 000003
【図２】
2005235540.tif 000004
【図３】
2005235540.tif 000005
【図４】
2005235540.tif 000006
【図５】
2005235540.tif 000007
【図６】
2005235540.tif 000008
【図７】
2005235540.tif 000009
【図８】
2005235540.tif 000010